(57)【特許請求の範囲】
【請求項１】
第１の装置から第２の装置へのオーディオ／ビデオ放送のシームレスな再生ハンドオーバの方法であって、中間モバイル通信装置によって実行され、
前記第１の装置によって同様に受信及び再生される前記オーディオ／ビデオ放送の、前記中間モバイル通信装置におけるオーディオ／ビデオ放送受信装置による受信を前記中間モバイル通信装置によって設定することと、
前記オーディオ／ビデオ放送の前記第１の装置による再生の中断を前記中間モバイル通信装置によって検出することと、
前記検出後、前記中間モバイル通信装置における前記オーディオ／ビデオ放送受信装置によって受信された前記オーディオ／ビデオ放送を前記中間モバイル通信装置におけるタイムシフトメモリに格納することと、
前記第２の装置の存在が前記中間モバイル通信装置によって検出される場合に、前記中間モバイル通信装置を前記第２の装置に接続し、及び前記中間モバイル通信装置による前記第１の装置から前記第２の装置への前記オーディオ／ビデオ放送のシームレスな再生ハンドオーバのために、前記中間モバイル通信装置における前記オーディオ／ビデオ放送受信装置によって受信された前記オーディオ／ビデオ放送を、前記中間モバイル通信装置における前記タイムシフトメモリから前記第２の装置へと前記中間モバイル通信装置によってタイムシフトしてストリーミングすることと
を含む方法。
【請求項２】
前記中間モバイル通信装置における前記タイムシフトメモリからの前記オーディオ／ビデオ放送の、前記中間モバイル通信装置による前記タイムシフトされたストリーミングのタイムシフト遅延が閾値未満であるときに、
前記第２の装置に含まれるか又は前記第２の装置に関連付けられている、前記オーディオ／ビデオ放送を受信するための受信装置を通じた前記第２の装置による前記オーディオ／ビデオ放送の受信に切り替わるための要求を、前記中間モバイル通信装置によって前記第２の装置に送信することと、
前記第２の装置における前記受信装置を通じた前記オーディオ／ビデオ放送の受信に前記第２の装置が切り替わったという確認が前記中間モバイル通信装置によって前記第２の装置から受信されるときに、前記オーディオ／ビデオ放送の受信及び格納のために使用された前記中間モバイル通信装置の資源を前記中間モバイル通信装置によって解放することと
を更に含み、
前記タイムシフト遅延は、再生の前記中断の前記検出と前記タイムシフトされたストリーミングの開始との間で経過した時間に対応する、請求項１に記載の方法。
【請求項３】
再生の前記中断の前記検出は、前記第１の装置によって生成される少なくとも１つの物理的パラメータのレベルが閾値未満に低下していることを前記中間モバイル通信装置が測定することに基づく、請求項１又は２に記載の方法。
【請求項４】
前記第１の装置によって生成される前記少なくとも１つの物理的パラメータは、前記第１の装置によって生成される無線周波数信号の信号レベルである、請求項３に記載の方法。
【請求項５】
前記第１の装置によって生成される前記少なくとも１つの物理的パラメータは、前記オーディオ／ビデオ放送の前記第１の装置による再生のオーディオレベルである、請求項３又は４に記載の方法。
【請求項６】
前記第２の装置の前記存在は、距離検出に基づいて前記中間モバイル通信装置によって検出され、前記第２の装置の前記存在は、前記中間モバイル通信装置と前記第２の装置との間の距離が閾値未満であるときに前記中間モバイル通信装置によって検出される、請求項１〜５のいずれか一項に記載の方法。
【請求項７】
前記第２の装置の前記存在は、短距離無線通信を通して前記中間モバイル通信装置によって検出される、請求項１〜６のいずれか一項に記載の方法。
【請求項８】
前記第２の装置の前記存在は、前記第２の装置を含む無線デジタル通信ネットワークの、前記中間モバイル通信装置による検出に基づいて、前記中間モバイル通信装置によって検出される、請求項１〜７のいずれか一項に記載の方法。
【請求項９】
前記第２の装置の前記存在は、前記中間モバイル通信装置による前記第２の装置の存在の物理的な検出に基づいて検出される、請求項１〜８のいずれか一項に記載の方法。
【請求項１０】
前記物理的な検出は、前記第２の装置の画像を捕捉するための前記中間モバイル通信装置におけるカメラの使用を含む、請求項９に記載の方法。
【請求項１１】
モバイル通信装置による第１の装置から第２の装置へのオーディオ／ビデオ放送のシームレスな再生ハンドオーバのためのモバイル通信装置であって、
前記第１の装置によって同様に受信及び再生される前記オーディオ／ビデオ放送を受信するように構成された、前記モバイル通信装置におけるオーディオ／ビデオ放送受信機と、
前記オーディオ／ビデオ放送の前記第１の装置による再生の中断を検出するように構成された、前記モバイル通信装置における検出器と、
前記モバイル通信装置による前記検出時に、前記モバイル通信装置における前記オーディオ／ビデオ放送受信機によって受信される前記オーディオ／ビデオ放送を前記モバイル通信装置に格納するように構成された、前記モバイル通信装置におけるタイムシフトメモリと、
前記第２の装置の存在が検出される場合に、前記モバイル通信装置を前記第２の装置に接続するように構成された、前記モバイル通信装置におけるネットワークインターフェース、及び前記モバイル通信装置による前記第１の装置から前記第２の装置への前記オーディオ／ビデオ放送のシームレスな再生ハンドオーバのために、前記モバイル通信装置における前記オーディオ／ビデオ放送受信機によって受信された前記オーディオ／ビデオ放送を、前記モバイル通信装置によって前記モバイル通信装置における前記タイムシフトメモリから前記第２の装置へとタイムシフトしてストリーミングするように構成されたプロセッサと
を含むモバイル通信装置。
【請求項１２】
前記モバイル通信装置における前記ネットワークインターフェースは、前記モバイル通信装置による前記第２の装置への前記オーディオ／ビデオ放送の前記タイムシフトされたストリーミングのタイムシフト遅延が閾値未満であるときに、前記第２の装置に含まれるか又は前記第２の装置に関連付けられている、前記オーディオ／ビデオ放送を受信するための受信装置を通じた前記第２の装置による前記オーディオ／ビデオ放送の受信に切り替わるための要求を、前記第２の装置に送信するように更に構成され、及び
前記モバイル通信装置における前記プロセッサは、前記第２の装置における前記受信装置を通じた前記オーディオ／ビデオ放送の受信に前記第２の装置が切り替わったという確認が前記モバイル通信装置によって前記第２の装置から受信されるときに、前記モバイル通信装置における前記オーディオ／ビデオ放送受信機及び前記モバイル通信装置における前記タイムシフトメモリを解放するように更に構成され、
前記タイムシフト遅延は、再生の前記中断の前記検出と前記タイムシフトされたストリーミングの開始との間で経過した時間に対応する、請求項１１に記載のモバイル通信装置。
【請求項１３】
前記モバイル通信装置における前記検出器は、前記第１の装置によって生成される少なくとも１つの物理的パラメータのレベルを測定することにより、前記第１の装置による再生の中断を検出するように更に構成される、請求項１１又は１２に記載のモバイル通信装置。
【請求項１４】
前記モバイル通信装置における前記検出器は、前記第１の装置によって生成される無線周波数信号の信号レベルを測定することにより、前記第１の装置による再生の中断を検出するように更に構成される、請求項１３に記載のモバイル通信装置。
【発明の詳細な説明】
【技術分野】
【０００１】
１．技術分野
本開示は、概して、オーディオ／ビデオコンテンツのハンドオーバに関する。
【背景技術】
【０００２】
２．技術背景
多くの自動車運転者は、帰宅途中にカーラジオで音楽又は情報放送番組を聴く。運転者が自らの家屋に到着したときに音楽又は情報放送番組が依然として終了せず、運転者が番組を引き続き聴くことを望む場合、唯一の選択肢は、自動車内に留まり、音楽又は情報番組が終了するのを待つことである。主要な発明者がKennedyである米国特許出願公開第２０１４／０２００６９４Ａ１号は、ラジオ番組の聴取を再開する際に計算装置がユーザを支援し得るラジオ捕捉方法を説明する。ユーザがその目的地に到着することに応じて記録要求が生成され得、ユーザは、計算装置を用いて聴取を再開し得る。この先行技術の幾つかの不都合のなかには、それが、遠隔の記録サーバを備えたネットワークインフラを必要とし、従って実施が簡単ではなく、又は容易にスケーラブルでないことがある。更に、手動のユーザ介入が必要とされる。
【０００３】
従って、追加のネットワークインフラを必要とせず、スケーラブルであり、且つ手動のユーザ介入を必要としないハンドオーバのための装置及び方法を有することが望ましいであろう。従って、先行技術の解決法の更なる改善の必要がある。
【発明の概要】
【０００４】
３．概要
本開示は、先行技術の不都合の幾つかを軽減することを目的とする。
【課題を解決するための手段】
【０００５】
この目的のために、本原理は、第１の装置から第２の装置へのオーディオ／ビデオ放送のシームレスな再生ハンドオーバの方法を含む。方法は、中間モバイル通信装置によって実行され、且つ第１の装置によって同様に受信及び再生されるオーディオ／ビデオ放送の、前記中間モバイル通信装置におけるオーディオ／ビデオ放送受信装置による受信を中間モバイル通信装置によって設定することと、オーディオ／ビデオ放送の第１の装置による再生の中断をモバイル通信装置によって検出することと、検出後、モバイル通信装置によって受信されたオーディオ／ビデオ放送をモバイル通信装置におけるタイムシフトメモリに格納することと、第２の装置の存在がモバイル通信装置によって検出される場合に、モバイル通信装置を第２の装置に接続し、及びモバイル通信装置による第１の装置から第２の装置へのオーディオ／ビデオ放送のシームレスな再生ハンドオーバのために、モバイル通信装置におけるオーディオ／ビデオ放送受信装置によって受信されたオーディオ／ビデオ放送を、モバイル通信装置におけるタイムシフトメモリから第２の装置へとモバイル通信装置によってタイムシフトしてストリーミングすることとを含む。
【０００６】
異なる実施形態によれば、方法は、モバイル通信装置におけるタイムシフトメモリからのオーディオ／ビデオ放送の、前記モバイル通信装置によるタイムシフトされたストリーミングのタイムシフト遅延が閾値未満であるときに、第２の装置に含まれるか又は第２の装置に関連付けられている、オーディオ／ビデオ放送を受信するための受信装置を通じた第２の装置によるオーディオ／ビデオ放送の受信に切り替わるための要求を、モバイル通信装置によって第２の装置に送信することと、第２の装置における受信装置を通じたオーディオ／ビデオ放送の受信に第２の装置が切り替わったという確認がモバイル通信装置によって第２の装置から受信されるときに、オーディオ／ビデオ放送の受信及び格納のために使用されたモバイル通信装置の資源をモバイル通信装置によって解放することとを含み、タイムシフト遅延は、前記検出と前記タイムシフトされたストリーミングの開始との間で経過した時間に対応する。
【０００７】
異なる実施形態によれば、再生の中断の検出は、第１の装置によって生成される少なくとも１つの物理的パラメータのレベルが閾値未満に低下していることをモバイル通信装置が測定することに基づく。
【０００８】
異なる実施形態によれば、第１の装置によって生成される少なくとも１つの物理的パラメータは、第１の装置によって生成される無線周波数信号の信号レベルである。
【０００９】
異なる実施形態によれば、第１の装置によって生成される少なくとも１つの物理的パラメータは、オーディオ／ビデオ放送の第１の装置による再生のオーディオレベルである。
【００１０】
異なる実施形態によれば、第２の装置の存在は、距離検出に基づいてモバイル通信装置によって検出され、第２の装置の存在は、モバイル通信装置と第２の装置との間の距離が閾値未満であるときに検出される。
【００１１】
異なる実施形態によれば、第２の装置の存在は、短距離無線通信を通してモバイル通信装置によって検出される。
【００１２】
異なる実施形態によれば、第２の装置の存在は、第２の装置を含む無線デジタル通信ネットワークの、モバイル通信装置による検出に基づいて、モバイル通信装置によって検出される。
【００１３】
異なる実施形態によれば、第２の装置の存在は、モバイル通信装置による第２の装置の存在の物理的な検出に基づいて検出される。
【００１４】
異なる実施形態によれば、物理的な検出は、第２の装置の画像を捕捉するためのモバイル通信装置におけるカメラの使用を含む。
【００１５】
異なる実施形態によれば、物理的な検出は、第２の装置へのモバイル通信装置のポインティングを決定するためのモバイル通信装置におけるポインティング装置の使用を含む。
【００１６】
本原理はまた、モバイル通信装置による第１の装置から第２の装置へのオーディオ／ビデオ放送のシームレスな再生ハンドオーバのためのモバイル通信装置であって、第１の装置によって同様に受信及び再生されるオーディオ／ビデオ放送を受信するように構成された、モバイル通信装置におけるオーディオ／ビデオ放送受信機と、オーディオ／ビデオ放送の第１の装置による再生の中断を検出するように構成された、モバイル通信装置における検出器と、検出時に、モバイル通信装置における受信機によって受信されるオーディオ／ビデオ放送をモバイル通信装置に格納するように構成された、モバイル通信装置におけるタイムシフトメモリと、第２の装置の存在がモバイル通信装置によって検出される場合に、モバイル通信装置を第２の装置に接続するように構成された、モバイル通信装置におけるネットワークインターフェース、及びモバイル通信装置による第１の装置から第２の装置へのオーディオ／ビデオ放送のシームレスな再生ハンドオーバのために、モバイル通信装置におけるオーディオ／ビデオ放送受信機によって受信されたオーディオ／ビデオ放送を、モバイル通信装置におけるタイムシフトメモリから第２の装置へとタイムシフトしてストリーミングするように構成されたプロセッサとを含むモバイル通信装置を含む。
【００１７】
モバイル通信装置の異なる実施形態によれば、モバイル通信装置におけるネットワークインターフェースは、モバイル通信装置による第２の装置へのオーディオ／ビデオ放送のタイムシフトされたストリーミングのタイムシフト遅延が閾値未満であるときに、第２の装置に含まれるか又は第２の装置に関連付けられている、オーディオ／ビデオ放送を受信するための受信装置を通じた第２の装置によるオーディオ／ビデオ放送の受信に切り替わるための要求を、第２の装置に送信するように更に構成され、及びモバイル通信装置におけるプロセッサは、第２の装置における受信装置を通じたオーディオ／ビデオ放送の受信に第２の装置が切り替わったという確認がモバイル通信装置によって第２の装置から受信されると、モバイル通信装置におけるオーディオ／ビデオ放送受信機及びモバイル通信装置におけるタイムシフトメモリを解放するように更に構成される。
【００１８】
モバイル通信装置の異なる実施形態によれば、モバイル通信装置における検出器は、第１の装置によって生成される少なくとも１つの物理的パラメータのレベルを測定することにより、第１の装置による再生の中断を検出するように更に構成される。
【００１９】
装置の異なる実施形態によれば、検出器は、第１の装置によって生成される無線周波数信号の信号レベルを測定することにより、第１の装置による再生の中断を検出するように更に構成される。
【００２０】
４．図の一覧
本原理のより多くの利点が、本開示の特定の非限定的な実施形態の説明を通して明らかになる。本原理の利点を達成できる方法を説明するために、本原理の特定の説明が、添付の図面に示されている本原理の特定の実施形態を参照して提供される。図面は、本開示の例示的な実施形態を示し、従って、その範囲を限定するように見なされるべきではない。説明される実施形態は、特定の有利な実施形態を形成するために組み合わせることができる。以下の図において、前の図に既に示されたアイテムと同じ参照番号を備えたアイテムは、本開示を不必要に曖昧にするのを回避するために、再び説明されることはない。
【００２１】
例示的な実施形態は、以下の図を参照して説明される。
【図面の簡単な説明】
【００２２】
【図１】再生ハンドオーバの本原理の状況を示す図である。
【図２】本原理による再生ハンドオーバのためのホームネットワークを備えた典型的な家を示す図である。
【図３】本原理の態様の例示的な実施形態のシーケンス図である。
【図４】本原理の更なる態様を示す例示的な実施形態のシーケンス図である。
【図５】本原理による中間装置の例示的な実施形態である。
【図６】本原理による方法の有利な実施形態のフローチャートである。
【発明を実施するための形態】
【００２３】
５．詳細な説明
図１は、本原理の適用の状況を示す。図示されているのは、家１０、運転者１４のいる自動車１１、スマートフォン１３、及びカーラジオ１２である。運転者は、家への到着時にラジオ番組を聴いている。しかしながら、ラジオ番組は終了しておらず、運転者はラジオ番組を家で引き続き聴くことを望んでいる。
【００２４】
図２は、本原理による再生ハンドオーバのためのホームネットワークを備えた典型的な家１０を示す図である。ホームネットワークは、有線及び無線データ通信インターフェース、即ちデジタルセットトップボックス１０２と、デジタルテレビ１０３と、ハイファイセット１０４と、デスクトップパーソナルコンピュータ（ＰＣ）１０５と、無線インターフェースを備えたノートブックＰＣ１０６と、外部アンテナ１０７と、外部デジタル通信ネットワーク、例えばインターネットへの接続部１００１とを装備したゲートウェイ装置１０１を含む。デジタルテレビ１０３は、外部アンテナ１０７から、デジタルセットトップボックス１０２から、ゲートウェイ装置１０１から、又はＰＣ１０５、１０６のいずれからもコンテンツを受信することができる。デジタルセットトップボックス１０２は、ゲートウェイ装置１０１からコンテンツを受信することができる。ハイファイセット１０４は、ゲートウェイ装置１０１から、デスクトップＰＣ１０５から、ノートブックＰＣ１０６から、又は外部アンテナ１０７からコンテンツを受信することができる。デスクトップＰＣ１０５は、装置１０１〜１０２、１０４及び１０６のいずれからもコンテンツを受信することができる。ノートブックＰＣ１０６は、装置１０１〜１０２、１０４及び１０５のいずれからもコンテンツを受信することができる。
【００２５】
図３は、本原理の態様の例示的な実施形態のシーケンス図である。垂直線は、ハンドオーバのための第１の／ソース装置（又はソース装置）１２、ここではカーラジオと、中間装置１３、ここではスマートフォンと、第２の装置（又は宛先装置）１０１〜１０６、ここではホームネットワーク装置とを左から右に表す。装置間の通信交換は水平に表されている。「第１の」又は「ソース」、「中間」、「第２の」又は「宛先」装置という言い回しは、本原理による、例えば第１の／ソース装置から中間装置を介して第２の／宛先装置へのハンドオーバを指す。
【００２６】
以下の例示的な実施形態は自動車及び家の環境を伴うが、本原理は、オフィス、ある仕事場から別の仕事場へのオーディオ／ビデオコンテンツのハンドオーバのための映画制作スタジオ、環境対環境ハンドオーバのための自動車対自動車、自動車対家、家対自動車、家対オフィス、家対家など、他の種類の環境にも等しく適用される。以下の例示的な実施形態は、第１の／ソース装置としてカーラジオ、中間装置としてスマートフォン、及び第２の／宛先装置としてホームネットワーク装置を伴うが、本原理は、他のタイプの装置に等しく適用することができる。第１の／ソース及び第２の／宛先装置のいずれにもなり得る例示的な装置は、（インターネット）ラジオ受信機／テレビ受像機、スマートフォン、テレビセット、パーソナルコンピュータ、ネットブック又はタブレットなど、放送コンテンツを受信できる任意の装置を含む。本原理による例示的な中間装置は、スマートフォン、本原理を実施するために特に設計された専用装置、及びGoogle Glassなどのウェアラブル技術である。放送されるコンテンツは、アナログ放送又はデジタルストリーミングなどの任意の手段によって放送することができる。以下の例示的な実施形態は、ラジオ放送などの放送オーディオコンテンツのハンドオーバについて説明されているが、本原理はまた、テレビ放送などの放送ビデオコンテンツのハンドオーバに適用可能である。放送オーディオ／ビデオコンテンツという総称は、放送オーディオ若しくはビデオコンテンツのみ又は放送オーディオ及びビデオコンテンツを意味する。以下の例示的な実施形態によれば、第２の／宛先装置はホームネットワークに位置するが、本原理は、ホームネットワークの存在なしに適用可能である。
【００２７】
図示のシナリオは、シーケンスＡ、Ｂ、Ｃに従う。
Ａ）中間装置１３を有するユーザが自らの自動車内におり、家へと自動車を運転しているときにラジオ放送局を聴く。参照符号３００〜３０２及び３０８。
Ｂ）ユーザが中間装置を着用／保持しながら自動車を離れる。聴取が中断される。参照符号３０３〜３０４。
Ｃ）ユーザが、自らの自動車を離れたときに聴取が中断されたラジオ放送局を引き続き聴く。参照符号３０５〜３０７。
【００２８】
シーケンスにおける上記の点のそれぞれが以下の段落で更に説明される。
【００２９】
Ａ：自動車内にいて中間装置を有するユーザがラジオ放送を聴く
ユーザが自らの自動車にいるとき、ユーザは、自らが聴くラジオ放送局を受信する（幅広の矢印）。カーラジオは、例えばWiFi、Bluetooth（登録商標）又はＮＦＣを介してスマートフォンと通信し、且つ同調される放送チャネル又はラジオ放送局の識別子をスマートフォンに送信する３００。識別子は、例えば、ラジオ伝送のためのＲＤＳ（ラジオデータシステム）又はＲＤＢＳ（ラジオ放送データシステム）に埋め込まれるか、又はテレビ放送のためのサービス情報（ＳＩ；例えば、デジタルビデオ放送−サービス情報のＤＶＢ−ＳＩ）から読み出されるなどである。
【００３０】
変形実施形態によれば、カーラジオによって同調されるラジオのラジオ局識別子を決定するために、カーラジオと、ラジオ局識別子の決定のために使用されるスマートフォンとの間に通信リンクは存在しないが、しかしながら、スマートフォンは、カーラジオの音声を捕捉し、且つオーディオシグネチャが一致するラジオ局が見つかるまで、例えば、その受信機で異なるラジオ局に同調させ、カーラジオによって同調されたラジオ局のオーディオ信号をスマートフォンによって同調されたオーディオ信号と比較することにより、同調されるラジオ局を決定する。この変形実施形態は、異なる送信及び／又は処理遅延によるオーディオ信号間のいかなる遅延も考慮し得る。この変形形態はまた、オーディオチャネルに伴うオーディオ信号が比較されるテレビ番組にも適用可能である。
【００３１】
中間装置１３における受信機は、電波を受信するためのチューナを有するラジオ受信機、インターネットラジオを受信するためにＵＲＬ（ユニファイドリソースロケータ）に接続できるインターネット受信機、又は３Ｇ／４Ｇ／ＬＴＥ（ロングタームエボルーション）受信機などの任意のタイプの受信機とすることができる。
【００３２】
変形実施形態によれば、中間装置１３は、内蔵カメラを介してカーラジオのディスプレイに示される局名を捕捉し、且つラジオ局識別子の文字バージョンを検索するために、ＯＣＲ（光学式文字読み取り）を適用する。
【００３３】
更なる変形実施形態によれば、ラジオ局又はテレビチャネルの識別は、表示されたＱＲ（クイックレスポンス）コード又はチャネルロゴを読むことによって行われる。
【００３４】
放送局の識別に続いて、中間装置は、今度は、それ自体の受信装置（例えば中間装置に含まれる電波受信機又はインターネット受信機）を用いて、識別されたラジオ放送局の受信を設定する３０１。
【００３５】
変形実施形態によれば、ラジオによって受信されるのと同じ／識別された放送コンテンツの中間装置による受信は、次に、例えばスマートフォンがカーラジオから離れて移動されるという判定に基づいて、ハンドオーバが行われる場合にのみ設定される。
【００３６】
中間装置によるラジオ放送受信は、矢印３０８及び３０２によって示されている。
【００３７】
Ｂ：ユーザが中間装置を持って自動車を離れ、聴取が中断される
カーラジオによる放送の再生が中断されたことを中間装置１３が検出する３０３と、中間装置１３は、それ自体の受信装置を介して受信した放送オーディオコンテンツをＦＩＦＯ（ファーストイン、ファーストアウト）型のローカルメモリ又は「バッファ」に格納する３０４。
【００３８】
特定の実施形態によれば、このメモリは、中間装置のワークメモリの一部である。変形実施形態によれば、メモリは、タイムシフトバッファをホストするための専用メモリ又はメモリゾーンである。
【００３９】
特定の実施形態によれば、中断は、中間装置におけるマイクロホンで測定される、オーディオレベルなどのラジオによって生成される物理的パラメータのレベル、又は前述のBluetooth、WiFi又はＮＦＣなど、中間装置によって測定される中間装置とカーラジオとの間の無線接続の受信レベルにおける著しい、例えば所定の閾値未満の低下を通して検出される。
【００４０】
特定の実施形態によれば、中間装置は、それがラジオ局を識別すると直ちに、カーラジオによって受信されるラジオ局に「同調」する。変形実施形態によれば、中間装置は、中断の検出時、識別されたラジオ局に「同調」するのみである。有利には、後者の変形実施形態は、バッテリ使用を制限できるようにする。
【００４１】
Ｃ：ユーザが中断されたラジオ放送のシームレスな聴取を続ける
ユーザが自らの自動車を離れて家に入ると、中間装置は、WiFiホームネットワークなどの通信ネットワークの存在を検出する３０５。中間装置は、ホームネットワークに自動的に接続し３０６、且つホームネットワークにおける装置への、放送されたオーディオコンテンツのタイムシフトされたストリーミングを開始し３０７、その結果、ユーザは、ホームネットワーク装置を介して引き続きラジオ局をシームレスに聴く。
【００４２】
タイムシフトされたストリーミングは、スマートフォンが、引き続きラジオ放送局を受信し且つ受信されたラジオ放送局をローカルメモリに格納しながら、受信された放送コンテンツをそのローカルメモリから宛先ホームネットワーク装置にストリーミングすることを意味する。従って、受信された放送コンテンツは、ハンドオーバに必要とされる時間、即ち離れる移動の検出３０３と宛先ホームネットワーク装置へのストリーミング３０７の開始との間に経過した時間に対応する遅れで遅延又はタイムシフトされる。このようにしてシームレスなハンドオーバが確立される。即ち、ユーザ／リスナーにとって情報は失われない。ラジオ番組は、それが中断された瞬間から宛先装置で引き続き再生される。
【００４３】
タイムシフトされたストリーミングのために用いられるローカルメモリのサイズは、受信される放送コンテンツのビットレート及びハンドオーバに必要とされる時間に依存する。従って、ローカルメモリは、十分な最大サイズを有するべきである。例えば、
−  ２５６キロビット／秒のビットレートのコンテンツ（例えばオーディオコンテンツ）の５分のハンドオーバについて、タイムシフトされたストリーミングに必要なローカルメモリサイズは、５＊６０＊２５６キロビット＝９６００ｋバイトであろう。
−  ３メガビット／秒のビットレートのコンテンツ（例えばビデオコンテンツ）の５分のハンドオーバについて、タイムシフトされたストリーミングに必要なローカルメモリのサイズは、約１１２メガバイトであろう。その数値は、おおむねスマートフォンなどの中間装置の記憶容量内である。
【００４４】
特定の実施形態によれば、ホームネットワークが、中間装置からオーディオ／ビデオコンテンツストリームを受信でき、且つオーディオ／ビデオコンテンツストリームに含まれるオーディオ／ビデオをレンダリングできる複数の装置を含む場合、ユーザの好ましい装置、例えば居間のデジタルテレビ、書斎のデスクトップＰＣ、又は台所のインターネットラジオが選択される。
【００４５】
変形実施形態によれば、中間装置から最短距離にあるレンダリング可能な装置が選択され、この距離は、例えば、
−  ＧＰＳ（全地球測位システム）、
−  ＷＰＳ（WiFiベースの測位システム。ＷｉＰＳ／ＷＦＰＳとも呼ばれる。多重伝搬路及び屋内の信号遮断によりＧＰＳが不適切な場合に用いられる）、
−  Bluetooth信号強度、ＮＦＣ信号強度、又はWiFi信号強度
を介して判定される。
【００４６】
特定の実施形態によれば、中間装置のタイムシフトメモリから、選択された第２の／宛先装置へのオーディオ／ビデオコンテンツストリーミングは、スマートフォンと第２の／宛先装置との間の直接接続を介して、例えばWiFi、Bluetooth又はＮＦＣを介して直接的である。これは、第２の／宛先装置がWiFi、Bluetooth又はＮＦＣインターフェースを装備している場合に可能である。この場合、ホームネットワークは必要とされない。
【００４７】
変形実施形態によれば、ストリーミングは、例えば、WiFiを介して中間装置からホームゲートウェイに、次にホームゲートウェイが有線イーサネット（登録商標）を介してホームネットワークにおける宛先装置へストリームを転送して間接的である。
【００４８】
従って、有利には、本原理による再生ハンドオーバ方法は、中間装置（例えばスマートフォン）を介して、第１の／ソース装置（例えばカーラジオ）から第２の／宛先装置（例えばホームネットワーク装置）へのシームレスな放送受信ハンドオーバを可能にする。
【００４９】
本原理によれば、ユーザは、第１の／ソース装置の聴取を中断し、次に、第２の装置で中断ポイントから聴取を自動的に再開することができる。
【００５０】
有利には、本原理によるハンドオーバは自律的である。即ち、それは、放送コンテンツの記録のための遠隔の記憶サーバを必要とせず、それにより、１人から十、数百、数千又は数百万人のユーザに容易にスケーラブルになる利点をもたらす。なぜなら、ハンドオーバがローカル装置間でローカルに管理され、プロバイダネットワークにおけるコンテンツの記録のための遠隔のコンテンツサーバへの接続を必要としないからである。
【００５１】
従って、放送コンテンツは、中間装置から第２の／宛先装置にストリーミングされる。
【００５２】
中間装置が第２の／宛先装置から離れて移動すると（離れる移動は、離れる移動の検出のための前述の方法のいずれかによって判定することができる）、第２の／宛先装置への中間装置のストリーミングは中断され、それは、タイムシフトメモリのサイズを増加させる影響がある。中間装置が第２の／宛先装置の近傍に戻ると（近傍は、離れる移動と同様の原理に従って判定することができる）、第２の／宛先装置へのハンドオーバは、前述の原理に従って実行される。即ち、中間装置から第２の／宛先装置へのタイムシフトされたストリーミングが再開され、且つ中間装置から第２の／宛先装置へのタイムシフトされたストリーミングのレンダリングが再開する。
【００５３】
ハンドオーバはまた、別の第２の／宛先装置へと行うことができる。例えば、中間装置は、台所に入り、そこに存在する別の第２の／宛先装置（例えば台所ＴＶ）に近付くために、居間の第２の／宛先装置（例えばデジタルテレビ）から離れて移動する。
【００５４】
本原理は、家から自動車に移動する中間装置などの多くのシナリオに適用可能であり、その場合、ハンドオーバは、ホームデバイスからカーラジオへと実行され、又は中間装置がある家から別の家に移動され、その場合、ハンドオーバは、ある家におけるあるホームデバイスから別の家の別のホームデバイスへと実行される。
【００５５】
第２の／宛先装置の存在の判定
第２の／宛先装置の存在は、異なる方法で判定することができる。
【００５６】
特定の実施形態によれば、第２の／宛先装置の存在は、距離検出に基づいて判定される。第２の／宛先装置の存在は、中間装置と第２の／宛先装置との間の距離が決定された閾値未満である場合に検出される。例えば、閾値は、１センチメートル（ｃｍ）、１０ｃｍ、１メートル（ｍ）、３ｍ、１０ｍ、又は中間の任意の値である。この距離検出は、例えば、近距離無線通信（ＮＦＣ）の検出に基づいて（例えば、中間装置は、第２の／宛先装置上に存在するＮＦＣのタグに近付けられる）、又は例えば無線通信ネットワーク（例えばWiFi、Bluetooth）によって引き起こされるＲＦフィールドの検出に基づいて行うことができる。有利には、ＲＦ信号のフィールド強度は、第２の／宛先装置との正確な通信を保証するために、存在を判定するための決定された閾値を超える。代替として、距離検出は、ＧＰＳ又はWiFiベースの測位などの位置決め手段から得られる第２の／宛先装置の位置に対する中間装置の位置に基づく。
【００５７】
変形実施形態によれば、第２の／宛先装置の存在は、中間装置による第２の／宛先装置の存在の物理的な検出に基づいて判定される。第２の／宛先装置の存在のこの物理的な検出は、第２の／宛先装置の画像を捕捉できる中間装置におけるカメラによって検出することができる。画像が、識別された第２の／宛先装置の記憶画像又は画像指紋と一致する場合、第２の／宛先装置の存在が検出される。次に、本原理によるハンドオーバのための第２の／宛先装置との通信は、周知の通信方法、例えばWiFi、WiMAX又はBluetoothを用いて確立することができる。
【００５８】
第２の／宛先装置の物理的な存在はまた、第２の／宛先装置を指すために、中間装置におけるポインティング装置を用いて判定することができる。ポインティング装置は、例えば、指し示される第２の／宛先装置を決定するために、カメラと場合により組み合わされた光エミッタ及び受信機に基づく。指し示された第２の／宛先装置の画像が、識別された第２の装置の記憶画像又は画像指紋に一致する場合、第２の装置の存在が検出される。次に、本原理によるハンドオーバのための第２の／宛先装置との通信は、上記のような周知の通信方法を用いて確立することができる。代替として、ポインティング装置は、例えば加速度計若しくはジャイロスコープ装置を用いる移動検出に基づくか、又はMicrosoft（登録商標）Kinect（商標）などの動作検知入力装置に基づく。
【００５９】
変形実施形態によれば、第２の／宛先装置の存在は、ＱＲ（クイックレスポンス）又はバーコードリーダを用いて検出される。例えば、第２の／宛先装置は、ＱＲ又はバーコードを示し、ＱＲ又はバーコードは、中間装置におけるＱＲ又はバーコードリーダで読み取ることができる。第２の／宛先装置がＱＲ又はバーコードリーダを通して識別されると、通信は、本原理によるハンドオーバのために、上記のような周知の通信方法を用いて確立することができる。
【００６０】
判定される第２の／宛先装置が、本原理によるハンドオーバのために中間装置のユーザが使用を望む第２の／宛先装置である確率を改善する特定の強力な変形実施形態を形成するために、上記の変形形態が組み合わせられ得る。例えば、ホームネットワークにおいて、複数の第２の／宛先装置の存在がWiFiなどの無線通信ネットワークの検出に基づいて判定されると（例えば、居間の第２の／宛先装置及び台所の別の第２の／宛先装置）、上記の物理的な検出、及び／又は距離検出の検出、及び／又はポインティング検出は、複数の装置間で選択するために用いることができる。例えば、中間装置によって物理的に検出されるか、中間装置からの最短距離にあるか、且つ／又は指し示されるように検出される第２の／宛先装置は、本原理によるハンドオーバのための第２の／宛先装置として選択される。また、選択が複数の第２の／宛先装置間で行われなければならない場合、中間装置又はホームネットワークに格納されたユーザ嗜好が好ましい第２の／宛先装置を選択するために利用され得、且つ／又は本原理に従ってＨＤ（高精細度）ビデオコンテンツをハンドオーバする場合、ＳＤ（標準精細度）のみ可能なビデオ装置の代わりに、ＨＤが可能なビデオレンダリング装置などの第２の／宛先装置を選択するために第２の／宛先装置能力が利用され得る。
【００６１】
図４は、本原理の更なる態様を示す例示的な実施形態のシーケンス図である。そこに示されているシナリオによれば、
Ｄ）中間装置１３は、それがホームネットワーク装置の１つにタイムシフトして転送する３０７放送オーディオ／ビデオコンテンツを受信する。
Ｅ）中間装置１３を着用／保持しているユーザは、中間装置１３によって受信されたオーディオ／ビデオ放送コンテンツに対して、早送り動作４００などのトリックモード動作を開始する。これは、中間装置１３のタイムシフトメモリにおける読み出しポインタをタイムシフトメモリの開始の方向に向けて動かす効果を有し、且つタイムシフトメモリサイズを減少させる更なる効果を有する。早送り動作が維持される場合、タイムシフトメモリにおける読み出しポインタは、タイムシフトメモリの開始の方へ動く。換言すれば、タイムシフトメモリサイズ及びタイムシフト遅延は、最終的にゼロに減少される。
Ｆ）タイムシフト遅延が決定された閾値未満に低下していると判定される４０１と、オーディオ／ビデオ放送コンテンツの受信に、又は換言すれば第２の／宛先装置１０１〜１０６に含まれるか若しくは第２の／宛先装置１０１〜１０６に関連付けられている受信手段（例えばＲＦチューナ、インターネット）によるオーディオ／ビデオ放送コンテンツの受信に切り替わるための要求４０２が、中間装置１３によって第２の／宛先装置１０１〜１０６に送信される。第２の／宛先装置１０１〜１０６が放送オーディオ／ビデオコンテンツ４０３の受信を設定した場合、中間装置１３は、受信した放送オーディオ／ビデオコンテンツの第２の／宛先装置への送信を停止し、且つ放送受信を切断する。即ち、中間装置１３は、転送のために用いられるその資源を解放する。
【００６２】
図５は、本原理による中間装置の例示的な実施形態である。中間装置１３は、通信バス５０７によって相互接続された以下の要素、即ちＣＰＵ（中央処理ユニット、プロセッサ、処理装置又は処理ユニット）５０１と、タイムシフトメモリ５０４と、放送受信機５０２と、ネットワークインターフェース５０５と、ＲＯＭ／ＲＡＭ（読み取り専用／ランダムアクセス）メモリ５０３と、検出器５０９とを含む。図は、第１の／ソース装置１２と、ネットワークインターフェース５０５と通信できる（矢印５０８）第２の／宛先装置１０１〜１０６と、放送番組５０６とを更に含む。ネットワークインターフェースは、例えばBluetooth、Wifi又はＮＦＣによる。放送受信機５０２は、例えばＲＦ（無線周波数）受信機若しくはインターネット受信機、又は３Ｇ、４Ｇ若しくはＬＴＥなどの移動データ受信機である。
【００６３】
変形実施形態によれば、ネットワークインターフェース５０５は、ＮＦＣ受信機／送信機又はWiFi受信機／送信機を含む。
【００６４】
変形実施形態によれば、センサ５０９は、カメラ及び／若しくはマイクロホン、又は第２のネットワークインターフェースである。
【００６５】
図において、オーディオ／ビデオ放送コンテンツを提供する矢印は、同じソースから来るように示されている。この表現は、オーディオ／ビデオ放送コンテンツを単一のソースに限定するものとして言及されているのではない。
【００６６】
装置１２及び１３のそれぞれは、同じ又は異なるソースから同じオーディオ／ビデオ放送番組を受信することができる。例えば、第１の／ソース装置１２が、ＲＦ送信機からオーディオ／ビデオ放送コンテンツを受信するＲＦ受信機を含むのに対して、中間装置１３は、３Ｇ／４Ｇ／ＬＴＥを通してモバイルインターネットサービスを介してインターネットラジオから同じ放送番組を受信するスマートフォンである。
【００６７】
本明細書の読者は、装置１３がスマートフォンである場合、入力／出力手段などの示されていない他のコンポーネントがディスプレイ及び／又はキーボードのように装置に存在することを容易に理解されよう。
【００６８】
プロセッサ５０１は、要求される機能を遂行するために、装置の他の要素と動作可能に通信する。
【００６９】
ＲＯＭ／ＲＡＭ５０３メモリは、処理装置５０１によって実行されるコンピュータ可読命令を含む。
【００７０】
タイムシフトメモリ５０４又は「タイムシフトバッファ」は、受信されたオーディオ／ビデオ放送コンテンツストリーム５０６を一時的に格納するために用いられる。このタイムシフトメモリは、図に示されているような別個のメモリ又はＲＯＭ／ＲＡＭメモリ５０３に統合されるメモリのいずれかである。
【００７１】
放送受信機５０２又は受信装置は、装置１３がオーディオ／ビデオ放送コンテンツを受信できるように、且つ特に第１の／ソース装置１２によって受信されるのと同じオーディオ／ビデオ放送コンテンツを受信できるようにする。
【００７２】
検出器５０９は、第１の／ソース装置１２による再生の中断を検出できるようにし、且つ前述の原理に従って、中間装置１３が第２の／宛先装置１０１〜１０６の近くにあることを更に判定できるようにする。
【００７３】
ネットワークインターフェース５０５は、第２の／宛先装置１０１〜１０６の存在が決定される場合に、第２の／宛先装置１０１〜１０６に接続するように更に構成され、且つタイムシフトメモリ５０４から第２の／宛先装置１０１〜１０６へオーディオ／ビデオ放送コンテンツをタイムシフトしてストリーミングするように更に構成される。
【００７４】
変形実施形態によれば、中間装置１３は、検出器５０９によって測定されるオーディオ音量が閾値未満に減少するため、第１の装置１２による再生の中断を検出する。これは、中間装置１３が第１の／ソース装置１２から離れて移動されること又は第１の／ソース装置１２のスイッチが切られることによって引き起こされ得る。
【００７５】
変形実施形態によれば、中間装置１３は、異なるタイプのネットワークインターフェース、例えば第１の／ソース装置１２への接続のためのBluetoothインターフェース及び第２の／宛先装置１０１〜１０６への接続のためのWiFiインターフェースを含む。
【００７６】
変形実施形態によれば、ネットワークインターフェース５０５は、オーディオ／ビデオ放送コンテンツのタイムシフトストリーミングのタイムシフト遅延が閾値未満である／閾値未満に低下すると、第２の装置１０１〜１０６によるオーディオ／ビデオ放送コンテンツのライブ受信に切り替わるために、少なくとも第２の装置１０１〜１０６に要求を送信するように更に動作可能に構成され、第２の装置１０１〜１０６は、オーディオ／ビデオ放送コンテンツを受信するための受信装置を有する。この閾値は、例えばゼロ秒、１０秒又は１分である。閾値がより低く設定されるほど、ハンドオーバはユーザにとって滑らかになる。閾値は、第１の／ソース装置１２から第２の／宛先装置１０１〜１０６へのオーディオ／ビデオ放送コンテンツのシームレスなハンドオーバのためにゼロ秒に設定することができる。第２の／宛先装置１０１〜１０６が、それ自体の受信手段を用いるオーディオ／ビデオ放送コンテンツの受信に切り替わったという確認を中間装置が第２の／宛先装置１０１〜１０６から受信すると、中間装置１３は、オーディオ／ビデオ放送ストリームの受信及び格納のために用いられる資源、例えば受信機５０２及びタイムシフトメモリ５０４を解放することができる。次に、これらの資源は、他の目的に再利用することができる。特定の実施形態によれば、確認は、ネットワークインターフェース５０５を介して中間装置によって受信される、第２の／宛先装置１０１〜１０６からのメッセージである。
【００７７】
変形実施形態によれば、検出器５０９は、第１の／ソース装置１２によって生成される少なくとも１つの物理的パラメータの受信レベル（例えば、音量レベル、光強度、電波受信の強度）を測定するように構成され、その結果、第１の／ソース装置１２によって受信されたオーディオ／ビデオ放送コンテンツの第１の／ソース装置１２による再生の中断は、そこから検出することができる。
【００７８】
図６は、例えば図５の中間装置１３によって実行される、本原理による第１の／ソース装置（例えば１２）と第２の／宛先装置（例えば１０１〜１０６）との間のオーディオ／ビデオ放送コンテンツの再生ハンドオーバの方法の有利な実施形態のフローチャートである。ステップ６０において、方法で用いられる異なる変数及びメモリゾーンが初期化される。ステップ６１において、中間装置１３の受信機５０２は、第１の／ソース装置１２によって受信されるのと同じオーディオ／ビデオ放送を受信するように設定される。ステップ６２において、中間装置１３は、第１の／ソース装置によるオーディオ／ビデオ放送コンテンツの再生の中断を検出する。ステップ６２において中断が検出された場合、ステップ６３において、中間装置１３によって受信されたオーディオ／ビデオ放送コンテンツは、中間装置１３のタイムシフトメモリ５０４に格納される。ステップ６４において、第２の／宛先装置１０１〜１０６の存在が検出されるかどうかが、ネットワークインターフェース５０５を用いて判定される。動作６４は、第２の／宛先装置１０１〜１０６の存在が判定されるまで継続される。かかる存在が決定される場合、中間装置は、ステップ６５において、ネットワークインターフェース５０５を介して前記第２の／宛先装置１０１〜１０６に接続し、中間装置１３は、ステップ６６において、前記中間装置１３における前記受信機５０２によって受信されたオーディオ／ビデオ放送コンテンツを、タイムシフトメモリ５０４から前記第２の／宛先装置１０１〜１０６へタイムシフトしてストリーミングする。このようにして方法は終了する６７。
【００７９】
当業者によって理解されるように、本原理は、オーディオ、ビデオ、又はオーディオを伴うビデオに等しく適用可能である。
【００８０】
図面における幾つかの要素は、全ての実施形態で用いられないか、又は必要でない可能性がある。幾つかの動作は並行して実行されてもよい。
【００８１】
当業者によって理解されるように、本原理の態様は、システム、方法又はコンピュータ可読媒体として具体化することができる。従って、本原理の態様は、完全なハードウェア実施形態、完全なソフトウェア実施形態（ファームウェア、常駐ソフトウェア、マイクロコードなどを含む）、又は本明細書で一般に全てが「回路」、「モジュール」若しくは「システム」として定義され得る、ハードウェア及びソフトウェア態様を組み合わせた実施形態の形態を取ることができる。更に、本原理の態様は、コンピュータ可読記憶媒体の形態を取ることができる。１つ又は複数のコンピュータ可読記憶媒体の任意の組み合わせを利用することができる。
【００８２】
従って、例えば、本明細書で提示されている図が、本開示の原理を具体化する実例的なシステムコンポーネント及び／又は回路の概念的な視点を表すことが当業者によって理解される。同様に、かかるコンピュータ又はプロセッサが明示的に示されていてもいなくても、任意のフローチャート、フローダイアグラム、状態遷移図、擬似コード等がコンピュータ可読記憶媒体において実質的に表現され得、且つ従ってコンピュータ又はプロセッサによって実行され得る様々なプロセスを表すことが理解されよう。
【００８３】
コンピュータ可読記憶媒体は、１つ又は複数のコンピュータ可読媒体において具体化され、且つコンピュータによって実行可能なコンピュータ可読プログラムコードをそれ自体に具体化させるコンピュータ可読プログラム製品の形態を取ることができる。本明細書で用いられるようなコンピュータ可読記憶媒体は、そこに情報を格納する固有の容量と同様に、そこからの情報の検索を提供する固有の能力を与えられた非一時的な記憶媒体と考えられる。コンピュータ可読記憶媒体は、例えば、限定するわけではないが、電子、磁気、光学、電磁気、赤外線若しくは半導体システム、機器又は装置、或いは前述したものの任意の適切な組み合わせとすることができる。本原理が適用され得るコンピュータ可読記憶媒体のより多くの具体例を提供する一方で、下記が、当業者によって容易に理解されるような単なる実例であり包括的なリストではないことを理解されたい：ポータブルコンピュータディスケット、ハードディスク、読み取り専用メモリ（ＲＯＭ）、消去可能プログラム可能読み取り専用メモリ（ＥＰＲＯＭ若しくはフラッシュメモリ）、ポータブルコンパクトディスク読み取り専用メモリ（ＣＤ−ＲＯＭ）、光記憶装置、磁気記憶装置、又は前述したものの任意の適切な組み合わせ。
上記実施形態の一部又は全部は、以下の付記のようにも記載されうるが、以下には限られない。
（付記１）
第１の装置（１２）から第２の装置（１０１〜１０６）へのオーディオ／ビデオ放送のシームレスな再生ハンドオーバの方法であって、中間装置（１３）によって実行され、
前記第１の装置によって再生される前記オーディオ／ビデオ放送の受信を前記中間装置によって設定すること（６１）と、
前記オーディオ／ビデオ放送の前記第１の装置による再生の中断を前記中間装置によって検出し（６２）、及び前記中間装置によって受信された前記オーディオ／ビデオ放送を前記中間装置のタイムシフトメモリに格納すること（６３）と、
前記第２の装置の存在が前記中間装置によって検出される（６４）場合に、前記中間装置を前記第２の装置に接続し（６５）、及び前記第１の装置から前記第２の装置への前記オーディオ／ビデオ放送のシームレスな再生ハンドオーバのために、前記中間装置によって受信された前記オーディオ／ビデオ放送を、前記中間装置の前記タイムシフトメモリから前記第２の装置へと前記中間装置によってタイムシフトしてストリーミングすること（６６）と
を含む方法。
（付記２）
前記オーディオ／ビデオ放送の前記タイムシフトされたストリーミングのタイムシフト遅延が閾値未満であるときに、
前記第２の装置に含まれるか又は前記第２の装置に関連付けられている、前記オーディオ／ビデオ放送を受信するための受信装置を通じた前記第２の装置による前記オーディオ／ビデオ放送の受信に切り替わるための要求を、前記中間装置によって前記第２の装置に送信することと、
前記第２の装置の前記受信装置を通じた前記オーディオ／ビデオ放送の受信に前記第２の装置が切り替わったという確認が前記中間装置によって前記第２の装置から受信されるときに、前記オーディオ／ビデオ放送の受信及び格納のために使用された前記中間装置の資源を前記中間装置によって解放することと
を更に含む、付記１に記載の方法。
（付記３）
再生の前記中断の前記検出は、前記第１の装置によって生成される少なくとも１つの物理的パラメータのレベルが閾値未満に低下していることを前記中間装置が測定することに基づく、付記１又は２に記載の方法。
（付記４）
前記第１の装置によって生成される前記少なくとも１つの物理的パラメータは、前記第１の装置によって生成される無線周波数信号の信号レベルである、付記３に記載の方法。
（付記５）
前記第１の装置によって生成される前記少なくとも１つの物理的パラメータは、前記オーディオ／ビデオ放送の前記第１の装置による再生のオーディオレベルである、付記３又は４に記載の方法。
（付記６）
前記第２の装置の前記存在は、距離検出に基づいて検出され、前記第２の装置の前記存在は、前記中間装置と前記第２の装置との間の距離が閾値未満である場合に検出される、付記１〜５のいずれか一項に記載の方法。
（付記７）
前記第２の装置の前記存在は、短距離無線通信を通して検出される、付記１〜６のいずれか一項に記載の方法。
（付記８）
前記第２の装置の前記存在は、前記第２の装置を含む無線デジタル通信ネットワークの検出に基づいて検出される、付記１〜７のいずれか一項に記載の方法。
（付記９）
前記第２の装置の前記存在は、前記中間装置による前記第２の装置の存在の物理的な検出に基づいて検出される、付記１〜８のいずれか一項に記載の方法。
（付記１０）
前記物理的な検出は、前記第２の装置の画像を捕捉するための前記中間装置におけるカメラの使用を含む、付記９に記載の方法。
（付記１１）
前記物理的な検出は、前記第２の装置への前記中間装置のポインティングを決定するためのポインティング装置の使用を含む、付記９又は１０に記載の方法。
（付記１２）
第１の装置（１２）から第２の装置（１０１〜１０６）へのオーディオ／ビデオ放送（５０６）のシームレスな再生ハンドオーバのための機器（１３）であって、
前記第１の装置によって再生される前記オーディオ／ビデオ放送を受信するように構成された受信機（５０２）と、
前記オーディオ／ビデオ放送の前記第１の装置による再生の中断を検出するように構成された検出器（５０９）、及び前記検出時に、前記受信機によって受信される前記オーディオ／ビデオ放送を格納するように構成されたタイムシフトメモリ（５０４）と、
前記第２の装置の存在が検出される場合に前記機器を前記第２の装置に接続するように構成されたネットワークインターフェース（５０５）、及び前記第１の装置から前記第２の装置への前記オーディオ／ビデオ放送のシームレスな再生ハンドオーバのために、前記受信機によって受信された前記オーディオ／ビデオ放送を、前記タイムシフトメモリから前記第２の装置へタイムシフトしてストリーミングするように構成されたプロセッサと
を含む機器。
（付記１３）
前記ネットワークインターフェースは、前記オーディオ／ビデオ放送の前記タイムシフトされたストリーミングのタイムシフト遅延が閾値未満であるときに、前記第２の装置に含まれるか又は前記第２の装置に関連付けられている、前記オーディオ／ビデオ放送を受信するための受信装置を通じた前記第２の装置による前記オーディオ／ビデオ放送の受信に切り替わるための要求を、前記第２の装置に送信するように更に構成され、及び
前記プロセッサは、前記第２の装置の前記受信装置を通じた前記オーディオ／ビデオ放送の受信に前記第２の装置が切り替わったという確認が前記機器によって前記第２の装置から受信されるときに、前記受信機及び前記タイムシフトメモリを解放するように更に構成され、付記１２に記載の機器。
（付記１４）
前記検出器は、前記第１の装置によって生成される少なくとも１つの物理的パラメータのレベルを測定することにより、前記第１の装置による再生の中断を検出するように更に構成される、付記１２又は１３に記載の機器。
（付記１５）
前記検出器は、前記第１の装置によって生成される無線周波数信号の信号レベルを測定することにより、前記第１の装置による再生の中断を検出するように更に構成される、付記１４に記載の機器。
【図１】
0006632000.tif 000002
【図２】
0006632000.tif 000003
【図３】
0006632000.tif 000004
【図４】
0006632000.tif 000005
【図５】
0006632000.tif 000006
【図６】
0006632000.tif 000007